(57)【特許請求の範囲】
【請求項１】
挿入された接続対象物と接続するコネクタであって、
回転被支持部、第１被支持部及び第２被支持部を有すると共に、前記接続対象物を挿入可能とする開位置と前記コネクタと前記接続対象物との接続状態を維持する閉位置との間で変位可能なアクチュエータと、
複数のコンタクトと、
前記回転被支持部に対応する回転支持部を有すると共に前記コンタクトをピッチ方向に列設保持するハウジングと、
前記第１被支持部に対応する第１支持部材であって、前記ハウジングに保持されると共に前記アクチュエータが前記開位置にあるとき及び前記閉位置のあるときの双方において前記第１被支持部に対して上側から当接する第１支持部材と、
前記第２被支持部に対応する第２支持部材であって、前記ハウジングに保持されると共に前記アクチュエータが前記開位置にあるとき及び前記閉位置のあるときの双方において前記第２被支持部に対して下側から当接する第２支持部材と
を備えており、
前記アクチュエータが前記開位置から前記閉位置に変位するとき、前記回転被支持部が前記回転支持部を下側に押圧することにより、前記アクチュエータは上方に向かう反力を受け、それによって、前記第２被支持部が一時的に前記第２支持部材から離れると共に前記第１被支持部が前記第１支持部材を一時的に上方へ押し上げるように構成されている
コネクタ。
【請求項２】
請求項１記載のコネクタであって、
前記回転被支持部は、前記ピッチ方向において、前記アクチュエータの両端から外側に突出しており、
前記第１被支持部及び前記第２被支持部は、前記ピッチ方向において、前記回転被支持部間に位置している
コネクタ。
【請求項３】
請求項１又は請求項２に記載のコネクタであって、
前記第１支持部材及び前記第１被支持部の組と、前記第２支持部材及び前記第２被支持部の組とはいずれも複数組形成されている
コネクタ。
【請求項４】
請求項１乃至請求項３のいずれかに記載のコネクタであって、
前記アクチュエータは、前記開位置にあるとき、前記ハウジングの上面から上方又は斜め上方に突出しており、
前記アクチュエータが前記開位置にあるとき、前記回転被支持部が前記回転支持部に当接している
コネクタ。
【請求項５】
請求項４に記載のコネクタであって、
前記開位置にあるアクチュエータは、ハウジングに対して直立した状態を経て閉位置まで変位し、
前記直立した状態においては、前記第１被支持部は下方へ一時的に変位して前記第１支持部材から離れると共に、前記第２被支持部は下方へ一時的に変位して前記第２支持部材を押圧する
コネクタ。
【請求項６】
請求項１乃至請求項５のいずれかに記載のコネクタであって、
前記コンタクトは、第１コンタクトと第２コンタクトとからなり、
前記第１支持部材は、前記第１コンタクトと一体形成されており、
前記第２支持部材は、前記第２コンタクトと一体形成されている
コネクタ。
【請求項７】
請求項６記載のコネクタであって、
前記第１コンタクトは、第１接触部を有しており、
前記第２コンタクトは、第２接触部を有しており、
前記第１接触部及び前記第２接触部が前記接続対象物に対して下側から接触するように、前記第１コンタクト及び前記第２コンタクトは設けられている
コネクタ。
【請求項８】
請求項１乃至請求項７のいずれかに記載のコネクタであって、
前記第２支持部材は、前記ハウジングの後端側においてハウジングに保持されると共に前記ハウジングの前端側に延びており、
前記第２支持部材には、前記第２被支持部の前方において上方に向かうように延びる第２係止部が設けられている
コネクタ。
【請求項９】
請求項１乃至請求項８のいずれかに記載のコネクタであって、
前記第１支持部材は、前記ハウジングの後端側においてハウジングに保持されると共に前記ハウジングの前端側に延びており、
前記第１支持部材には、前記第１被支持部の前方において下方に向かうように延びる第１係止部が設けられている
コネクタ。
【請求項１０】
請求項１乃至請求項９のいずれかに記載のコネクタであって、
前記アクチュエータは、前記閉位置と前記開位置との間での変位を操作するための操作部を有しており、
前記第１被支持部及び前記第２被支持部は、前記ピッチ方向と直交する平面内において、前記操作部から分離された断面を有している
コネクタ。
【請求項１１】
請求項１乃至請求項１０のいずれかに記載のコネクタであって、
前記回転被支持部は、前記ピッチ方向と直交する平面内において、角を丸められた四角形形状の断面を有している
コネクタ。
【請求項１２】
請求項１乃至請求項１１のいずれかに記載のコネクタであって、
前記接続対象物は、前記コネクタに挿入される嵌合部を有しており、
前記嵌合部の前記ピッチ方向の両端には相手側ロック部が設けられており、
前記コネクタは、前記接続対象物と前記コネクタの前記接続状態を前記相手側ロック部と共にロックするロック部を備えている
コネクタ。
【請求項１３】
請求項１２記載のコネクタであって、
前記コネクタは、基板に接続固定されるホールドダウンを備えており、
前記ロック部は、前記ホールドダウンと一体に形成されている
コネクタ。
【発明の詳細な説明】
【技術分野】
【０００１】
本発明は、開閉操作可能なアクチュエータを備えるコネクタに関する。かかるコネクタの接続対象物は、ＦＰＣ（Flexible Printed Circuit）やＦＦＣ（Flexible Flat
Cable）のようなシート状又は板状の嵌合部を有する接続対象物や、それらの端部に保持部材を取り付けてなる接続対象物である。
【背景技術】
【０００２】
この種のコネクタとしては、例えば、特許文献１に開示されたものがある（図２６参照）。特許文献１のコネクタのアクチュエータは、両端に第１の軸を有すると共にそれら第１の軸の間に第２の軸を有している。第１の軸はハウジングに設けられた第１支持部分にて下側から支持されており、第２の軸はコンタクトと一体形成された弾性を有する第２支持部分で上側から支持されている。第１の軸の回動中心と第２の軸の回動中心とがオフセットしており、第２の軸の移動が第２支持部分で弾性的に阻止されていることから、特許文献１のコネクタにおいてはアクチュエータの不用意な回動が防止されている。
【先行技術文献】
【特許文献】
【０００３】
【特許文献１】特開２００４−１９３０４５号公報
【発明の概要】
【発明が解決しようとする課題】
【０００４】
多芯化が進むと、アクチュエータのピッチ方向の長さが長くなってくる。その場合、特許文献１のコネクタでは、アクチュエータが撓みやすく、適切な姿勢を保持できないという問題がある。
【０００５】
そこで、本発明は、アクチュエータの不用意な回動を防止する一方で、多芯化が進んだとしてもアクチュエータが撓むことなく適切な姿勢を保持可能なコネクタを提供することを目的とする。
【課題を解決するための手段】
【０００６】
本発明によれば、第１のコネクタとして、
挿入された接続対象物と接続するコネクタであって、
回転被支持部、第１被支持部及び第２被支持部を有すると共に、前記接続対象物を挿入可能とする開位置と前記コネクタと前記接続対象物との接続状態を維持する閉位置との間で変位可能なアクチュエータと、
複数のコンタクトと、
前記回転被支持部に対応する回転支持部を有すると共に前記コンタクトをピッチ方向に列設保持するハウジングと、
前記第１被支持部に対応する第１支持部材であって、前記ハウジングに保持されると共に前記アクチュエータが前記開位置にあるとき及び前記閉位置のあるときの双方において前記第１被支持部に対して上側から当接する第１支持部材と、
前記第２被支持部に対応する第２支持部材であって、前記ハウジングに保持されると共に前記アクチュエータが前記開位置にあるとき及び前記閉位置のあるときの双方において前記第２被支持部に対して下側から当接する第２支持部材と
を備えており、
前記アクチュエータが前記開位置から前記閉位置に変位するとき、前記回転被支持部が前記回転支持部を下側に押圧することにより、前記アクチュエータは上方に向かう反力を受け、それによって、前記第２被支持部が一時的に前記第２支持部材から離れると共に前記第１被支持部が前記第１支持部材を一時的に上方へ押し上げるように構成されている
コネクタが得られる。
【０００７】
本発明によれば、第２のコネクタとして、第１のコネクタであって、
前記回転被支持部は、前記ピッチ方向において、前記アクチュエータの両端から外側に突出しており、
前記第１被支持部及び前記第２被支持部は、前記ピッチ方向において、前記回転被支持部間に位置している
コネクタが得られる。
【０００８】
本発明によれば、第３のコネクタとして、第１又は第２のコネクタであって、
前記第１支持部材及び前記第１被支持部の組と、前記第２支持部材及び前記第２被支持部の組とはいずれも複数組形成されている
コネクタが得られる。
【０００９】
本発明によれば、第４のコネクタとして、第１乃至第３のいずれかのコネクタであって、
前記アクチュエータは、前記開位置にあるとき、前記ハウジングの上面から上方又は斜め上方に突出しており、
前記アクチュエータが前記開位置にあるとき、前記回転被支持部が前記回転支持部に当接している
コネクタが得られる。
【００１０】
本発明によれば、第５のコネクタとして、第４のコネクタであって、
前記開位置にあるアクチュエータは、ハウジングに対して直立した状態を経て閉位置まで操作され、
前記直立した状態においては、前記第１被支持部は下方へ一時的に変位して前記第１支持部材から離れると共に、前記第２被支持部は下方へ一時的に変位して前記第２支持部材を押圧する
コネクタが得られる。
【００１１】
本発明によれば、第６のコネクタとして、第１乃至第５のいずれかのコネクタであって、
前記コンタクトは、第１コンタクトと第２コンタクトとからなり、
前記第１支持部材は、前記第１コンタクトと一体形成されており、
前記第２支持部材は、前記第２コンタクトと一体形成されている
コネクタが得られる。
【００１２】
本発明によれば、第７のコネクタとして、第６のコネクタであって、
前記第１コンタクトは、第１接触部を有しており、
前記第２コンタクトは、第２接触部を有しており、
前記第１接触部及び前記第２接触部が前記接続対象物に対して下側から接触するように、前記第１コンタクト及び前記第２コンタクトは設けられている
コネクタが得られる。
【００１３】
本発明によれば、第８のコネクタとして、第１乃至第７のいずれかのコネクタであって、
前記第２支持部材は、前記ハウジングの後端側においてハウジングに保持されると共に前記ハウジングの前端側に延びており、
前記第２支持部材には、前記第２被支持部の前方において上方に向かうように延びる第２係止部が設けられている
コネクタが得られる。
【００１４】
本発明によれば、第９のコネクタとして、第１乃至第８のいずれかのコネクタであって、
前記第１支持部材は、前記ハウジングの後端側においてハウジングに保持されると共に前記ハウジングの前端側に延びており、
前記第１支持部材には、前記第１被支持部の前方において下方に向かうように延びる第１係止部が設けられている
コネクタ。
【００１５】
本発明によれば、第１０のコネクタとして、第１乃至第９のいずれかのコネクタであって、
前記アクチュエータは、前記閉位置と前記開位置との間での変位を操作するための操作部を有しており、
前記第１被支持部及び前記第２被支持部は、前記ピッチ方向と直交する平面内において、前記操作部から分離された断面を有している
コネクタが得られる。
【００１６】
本発明によれば、第１１のコネクタとして、第１乃至第１０のいずれかのコネクタであって、
前記回転被支持部は、前記ピッチ方向と直交する平面内において、角を丸められた四角形形状の断面を有している
コネクタが得られる。
【００１７】
本発明によれば、第１２のコネクタとして、第１乃至第１１のいずれかのコネクタであって、
前記接続対象物は、前記コネクタに挿入される嵌合部を有しており、
前記嵌合部の前記ピッチ方向の両端には相手側ロック部が設けられており、
前記コネクタは、前記接続対象物と前記コネクタの前記接続状態を前記相手側ロック部と共にロックするロック部を備えている
コネクタが得られる。
【００１８】
本発明によれば、第１３のコネクタとして、第１２のコネクタであって、
前記コネクタは、基板に接続固定されるホールドダウンを備えており、
前記ロック部は、前記ホールドダウンと一体に形成されている
コネクタが得られる。
【発明の効果】
【００１９】
本発明によれば、アクチュエータが開位置にあるときと閉位置にあるときの双方の状態を第１支持部材と第２支持部材で支持することにより維持していることから、アクチュエータが撓むことなく、適切な姿勢の維持を行うことができる。
【００２０】
また、本発明によれば、アクチュエータの閉位置及び開位置間の回動（変位）に際してはアクチュエータの回動被支持部がハウジングの回動支持部を下側に押圧することにより、アクチュエータが上方に向かう反力を受け、それによって、第１被支持部が第１支持部材を一時的に上方へ押し上げるように構成されていることから、アクチュエータの不用意な回動を防止することができると共にアクチュエータの操作者はクリック感を得ることができる。
【００２１】
上述したアクチュエータの適切な姿勢の維持とアクチュエータの不用意な回動防止は、アクチュエータの回動中に第２被支持部が一時的に第２支持部材から離れるように構成されていることから、両立可能となっている。
【図面の簡単な説明】
【００２２】
【図１】本発明の実施の形態によるコネクタの正面側斜視図である。
【図２】図１のコネクタの挿入口付近において一点鎖線の円で囲まれた部分の拡大図である。
【図３】図１のコネクタの背面側斜視図である。
【図４】図１のコネクタに接続されるプラグコネクタ（接続対象物）の上面図である。
【図５】図４のプラグコネクタの底面図である。
【図６】図１のコネクタに用いられるホールドダウンの斜視図である。
【図７】図１のコネクタに用いられるアクチュエータの斜視図である。
【図８】図７のＶＩＩＩ−ＶＩＩＩ線に沿った断面図である。
【図９】図７のＩＸ−ＩＸ線に沿った断面図である。
【図１０】図７のアクチュエータの側面図である。
【図１１】図８の記載に第２被支持部と回転被支持部との位置を重ね合わせた透視図である。
【図１２】図１のＸＩＩ−ＸＩＩ線に沿った断面図である。アクチュエータは開位置にある。
【図１３】図１のＸＩＩＩ−ＸＩＩＩ線に沿った断面図である。アクチュエータは開位置にある。
【図１４】図１のＸＩＶ−ＸＩＶ線に沿った断面図である。アクチュエータは開位置にある。
【図１５】図１２のアクチュエータを前方に倒した状態を表した図である。
【図１６】図１３のアクチュエータを前方に倒した状態を表した図である。
【図１７】図１４のアクチュエータを前方に倒した状態を表した図である。
【図１８】図１５のアクチュエータを更に前方に倒した状態を表した図である。
【図１９】図１６のアクチュエータを更に前方に倒した状態を表した図である。
【図２０】図１７のアクチュエータを更に前方に倒した状態を表した図である。
【図２１】図１８のアクチュエータを完全に倒した状態を表した図である。アクチュエータは閉位置にある。
【図２２】図１９のアクチュエータを完全に倒した状態を表した図である。アクチュエータは閉位置にある。
【図２３】図２０のアクチュエータを完全に倒した状態を表した図である。アクチュエータは閉位置にある。
【図２４】プラグコネクタが挿入されたときの閉位置の状態を表した断面図である。なお、図に示される断面は、図２１と同じものである。
【図２５】プラグコネクタが挿入されたときの閉位置の状態を表した断面図である。なお、図に示される断面は、図２２と同じものである。
【図２６】特許文献１に開示されたコネクタの斜視図である。
【発明を実施するための形態】
【００２３】
以下、図面を参照して本発明の実施の形態によるコネクタについて説明する。図１乃至図３に示されるように、本実施の形態によるコネクタ１は、Ｙ方向（ピッチ方向）に細長い略直方体形状を有している。コネクタ１は、基板（図示せず）に取り付けられ図４及び図５に示されるプラグコネクタ（接続対象物）２と接続される。コネクタ１は、複数のコンタクト３と、コンタクト３を保持するハウジング４と、ハウジング４に取り付けられ且つコンタクト３に支持されているアクチュエータ５と、ホールドダウン６とを備えている。コネクタ１の前端１１には挿入口１４が設けられている。プラグコネクタ２は、挿入口１４からコネクタ１の後端１２に向けて挿入される。なお、以下、コネクタ１の各部を説明するに際しては、図２４及び図２５を参照するときを除き、プラグコネクタ２が挿入／接続されていない状態を説明する。
【００２４】
図４及び図５に示されるように、本実施の形態によるコネクタ１に接続されるプラグコネクタ２は、ＦＰＣ／ＦＦＣ２１の端部に設けられているものであり、コネクタ１の挿入口１４に挿入される嵌合部２０を有している。嵌合部２０のＹ方向両側には両側に突出した相手側ロック部２２が設けられている。相手側ロック部２２近傍にはグランド接続部２４が設けられている。
【００２５】
図１乃至図３に示されるように、ハウジング４は、Ｙ方向に長い略直方体形状の本体部４００を有している。本体部４００には、上部４０１と、底部４０２と、上記コネクタ１の前端１１でもある前端４０３と、コネクタ１の後端１２でもある後端４０４が形成されている。底部４０２には、複数のコンタクト３をＹ方向に列設保持するコンタクト保持溝４２０がＹ方向に並んで形成されている。ハウジング４の上部４０１の前端１１側の一部は、アクチュエータ５を取り付けるために後端４０４に向けて略コの字に凹むように形成されている。当該コの字に凹まされた部分のＹ方向両側には、アクチュエータ５の回転被支持部５３０（後述）に対応する回転支持部４３０が形成されている。図１及び図１４をも更に参照すると、回転支持部４３０は、前端４０３側の側面４４１と、後端４０４側の側面４４２と、底面４５０とを有する溝形状を有している。
【００２６】
図１、図３及び図６に示されるように、ホールドダウン６はコネクタ１を基板（図示せず）に接続固定するものである。本実施の形態によるホールドダウン６は、ハウジング４の後端４０４のＹ方向両端付近に形成されたホールドダウン保持部４７０から前端４０３に向けて挿入されることにより、ハウジング４に取り付けられる。ホールドダウン６は、半田付け部６１と、グランドコンタクト６２と、ロック部６９とを有している。半田付け部６１は、ホールドダウン６の上部から下向き（−Ｚ方向）に延びる部位と連続して形成される部位であって、Ｙ方向においてコネクタ１から離れる方向に延びる部位である。グランドコンタクト６２は、ホールドダウン６の上部から斜め下向きに前方（Ｘ方向）へ向かって延びている。コネクタ１とプラグコネクタ２とを接続した際、ホールドダウン６のグランドコンタクト６２と、プラグコネクタ２のグランド接続部２４とは電気的に接続される。ロック部６９は、ホールドダウン６を構成する金属板に一体に形成された孔であり、プラグコネクタ２の相手側ロック部２２と係止することにより、コネクタ１とプラグコネクタ２との接続状態をロックする。本実施の形態においては、ロック部６９をホールドダウン６と一体に形成し且つホールドダウン６を半田付け部６１により基板（図示せず）に固定することとしていることから、プラグコネクタ２の抜け止めを確実にすることができる。
【００２７】
図７乃至図１１に示されるように、アクチュエータ５は、Ｙ方向に長い略板状の本体部５００を有している。本体部５００には、操作部５０１と、回動部５０２と、プラグコネクタ２を押圧するための押圧部５０３が形成されている。本実施の形態によるアクチュエータ５は、後述する開位置（図１２乃至図１４参照）と閉位置（図２１乃至図２３参照）との間で変位可能に構成されている。
【００２８】
操作部５０１は、上記開位置と閉位置との間におけるアクチュエータ５の変位を操作するためのものである。操作部５０１の下部には凹部５０４が形成されており、閉位置にあるアクチュエータ５を起こす操作（即ち、開位置へ変位させる操作）を容易にしている。
【００２９】
回動部５０２は、第１被支持部５１０と、第２被支持部５２０と、回転被支持部５３０とを備えている。回動部５０２は、複数の仕切り部５０５を備えており、全体として略櫛形状を有している。図８においては、Ｙ方向において隣接する仕切り部５０５の間には第１被支持部５１０又は第２被支持部５２０のいずれかが設けられている。回転被支持部５３０は、本体部５００のＹ方向の両端から外向きに突出している。即ち、本実施の形態においては、第１被支持部５１０と第２被支持部５２０とは、Ｙ方向において２つの回転被支持部５３０の間に位置している。
【００３０】
図７及び図８に示されるように、第１被支持部５１０は、ＸＺ断面形状において、平面形状を有する被押圧部５１１と、曲面形状を有する押圧部５１２と、平面形状を有する被押圧部５１３とを有している。回動部５０２においては、Ｘ方向において隣接する仕切り部５０５との間は第１被支持部５１０のみによって接続されており、第１被支持部５１０と操作部５０１との間には第１コンタクト収容部５１４（後述）としての空間が形成されている。即ち、図８によく示されるように、ＸＺ平面内においては、第１被支持部５１０は、操作部５０１から分離された断面を有している。
【００３１】
図７及び図９に示されるように、第２被支持部５２０は、ＸＺ断面形状において、鈍角を有する被支持部５２１と、平面形状を有する押圧部５２２と、平面形状を有する被支持部５２３とを有している。第１被支持部５１０と同様に、図９においては、回動部５０２においては、Ｘ方向において隣接する仕切り部５０５の間は第２被支持部５２０のみによって接続されており、第２被支持部５２０と操作部５０１との間には空間５２４が形成されている。即ち、図９によく示されるように、ＸＺ平面内においては、第２被支持部５２０は、操作部５０１から分離された断面を有している。
【００３２】
図７及び図１０に示されるように、回転被支持部５３０は、ＸＺ平面内において角を丸められた略四角形状の断面を有している。詳しくは、回転被支持部５３０は、ＸＺ平面内において、ハウジング４の回転支持部４３０の側面４４２及び底面４５０（図１４参照）と接する２か所の当接部５３１と、平面形状を有する第１側面５３２と、丸められた角の形状を有する押圧部５３３と、平面形状を有する第２側面５３４とを有している。従って、回転被支持部５３０の回転中心から２か所の当接部５３１までの距離は、回転中心から２か所の側面（第１側面５３２と第２側面５３４）までの距離より長い。
【００３３】
図１１に示されるように、本実施の形態による第１被支持部５１０と、第２被支持部５２０と、回転被支持部５３０とはＹ方向から見た場合に互いに異なる位置に設けられている。
【００３４】
図１、図１２及び図１３に示されるように、コンタクト３は、第１コンタクト３１０と、第２コンタクト３２０とからなる。本実施の形態によるコネクタ１においては、第１コンタクト３１０と第２コンタクト３２０とは、２対１の割合で使用されている。
【００３５】
図１２に示されるように、第１コンタクト３１０は、ハウジング４に圧入される圧入部３４０と、圧入部３４０の上方から前方（＋Ｘ方向）へ延びる第１腕部３１１と、圧入部３４０の下方から前方へ延びている下側腕部３３０とを備えており、前方に向けて２股に分かれる形状（横に倒した略Ｕ字形状）を有している。第１腕部３１１には、第１腕部３１１と連続して形成され上方に湾曲した第１当接部３１２（第１支持部材）と、第１当接部３１２の先端において下方に向かうように延びる第１係止部３１３とが形成されている。下側腕部３３０の先端付近には、凸状に形成された第１接触部３３１が形成されている。圧入部３４０の下方後端からは後方（−Ｘ方向）へ向けて延びる固定部３５０が設けられており、当該固定部３５０は、基板（図示せず）上の信号パターン（図示せず）に半田付け等される。
【００３６】
図１３に示されるように、第２コンタクト３２０は、第１コンタクト３１０と一部共通する構造を有している。即ち、第２コンタクト３２０は、ハウジング４に圧入される圧入部３４０と、圧入部３４０の上方から前方（＋Ｘ方向）へ延びている第２腕部３２１と、圧入部３４０の下方から前方へ延びている下側腕部３３０とを備えており、前方に向けて２股に分かれる形状（横に倒した略Ｕ字形状）を有している。第２腕部３２１には、第２腕部３２１と連続して形成され下方に湾曲した第２当接部３２２（第２支持部材）と、第２当接部３２２の先端において上方に向かうように延びる第２係止部３２３とが形成されている。下側腕部３３０の先端付近には、凸状に形成された第２接触部３３２が形成されている。圧入部３４０の下方後端からは後方へ向けて延びる固定部３５０が設けられている。本実施の形態においては、第１コンタクト３１０の第１腕部３１１及び第２コンタクト３２０の第２腕部３２１以外の部位は、共通の構造を有している。
【００３７】
以上のようなコネクタ１において、アクチュエータ５による開位置から閉位置までの回動操作は以下のように行われる。
【００３８】
図１２乃至図１４に示されるように、アクチュエータ５が開位置にあるとき、アクチュエータ５はハウジング４の上面から斜め上方に突出しており、プラグコネクタ２はコネクタ１の挿入口１４に挿入可能となる。第１被支持部５１０の被押圧部５１１は、第１コンタクト３１０の第１当接部３１２と当接し且つ下方に押圧されている（図１２参照）。第２被支持部５２０の被支持部５２１は、第２コンタクト３２０の第２当接部３２２に支持されている（図１３参照）。回転被支持部５３０の２つの当接部５３１は、回転支持部４３０の側面４４２と底面４５０と接触している（図１４参照）。開位置においては、第１被支持部５１０が第１コンタクト３１０の第１当接部３１２から下向きに力を受ける一方で、第２被支持部５２０が第２コンタクト３２０の第２当接部３２２に支持されることにより、アクチュエータ５が支持される。即ち、開位置にあるアクチュエータ５は、第１コンタクト３１０と第２コンタクト３２０とによって保持されている。なお、かかる保持の仕方を考慮すると回転被支持部５３０は回転支持部４３０から離れていても（浮いていても）よく、開位置において、第１コンタクト３１０及び第２コンタクト３２０のみによって保持されていることとしてもよい。しかし、図の状態において上方から意図しない力がアクチュエータ５に対して加わると、第２被支持部５２０を下方から支持する第２コンタクト３２０に大きな負荷がかかる損傷するおそれがあるため、回転被支持部５３０は回転支持部４３０に支持されていることが好ましい。
【００３９】
図１５乃至図１７に示されるように、開位置にある状態から前方へ起こされたアクチュエータ５は、ハウジング４に対して直立した状態を経て閉位置まで操作される。アクチュエータ５が直立した状態においては、第１被支持部５１０は下方へ一時的に変位して第１当接部３１２から離れ、両者は互いに接していない（図１５参照）。一方、第２被支持部５２０も下方へ一時的に変位し、第２当接部３２２を押圧する（図１６参照）。回転被支持部５３０の第１側面５３２は、回転支持部４３０の底面４５０と接している（図１７参照）。なお、回転被支持部５３０の第１側面５３２が、回転支持部４３０の底面４５０と接触せず、第２被支持部５２０が第２当接部３２２と当接することのみによってアクチュエータ５が支持されることとしてもよい。
【００４０】
図１８乃至図２０に示されるように、アクチュエータ５を更に前方へ倒した状態においては、回転被支持部５３０の押圧部５３３が回転支持部４３０の底面４５０の一部である被押圧部４６０を押圧する。このとき、アクチュエータ５は、被押圧部４６０からの反力を受ける（図２０参照）。当該反力により、第１被支持部５１０の押圧部５１２は、第１コンタクト３１０の第１当接部３１２を上向きに押圧し、第１コンタクト３１０の第１腕部３１１が変形する（図１８参照）。一方、第２被支持部５２０は、上方へ一時的に変位して第２当接部３２２から離れ、両者は互いに接していない（図１９参照）。本実施の形態においては、第１コンタクト３１０が変形するために必要な力をアクチュエータ５に対して加えなければアクチュエータ５が更に前方へ倒れることがない。これにより、アクチュエータ５の不用意な閉位置への移動が防止され、且つアクチュエータ５が図１８乃至図２０に示される位置を超えて前方へ倒された際に操作者はクリック感を得る。上述したように、当該クリック感は、第１被支持部５１０が第１コンタクト３１０を押圧することによって得ているものである。本実施の形態においては、第１被支持部５１０が第１コンタクト３１０を押圧する際、回転被支持部５３０の押圧部５３３が固定面（回転支持部４３０の被押圧部４６０）を押圧することにより受ける反力を利用していることから、第１コンタクト３１０の第１当接部３１２を確実に押圧することができ、クリック感を得ることができる。換言すると、第１被支持部５１０によって第１コンタクト３１０を押圧する際、第２被支持部５２０を使用して変位する部位（第２コンタクト３２０の第２当接部３２２）を押圧するようには構成していないため、回転被支持部５３０の押圧部５３３が回転支持部４３０の被押圧部４６０から受ける反力の全てが第１被支持部５１０を介して第１コンタクト３１０へ伝達される。従って、本実施の形態においては、図１８乃至図２０に示される状態においては、回転被支持部５３０及び回転支持部４３０と、第１被支持部５１０及び第１コンタクト３１０との２か所のみが接触し、第２被支持部５２０が第２コンタクト３２０から一時的に離れていることが必要である。
【００４１】
図２１乃至図２３に示されるように、アクチュエータ２をＸ方向と平行になるまで倒された状態、即ち、アクチュエータ５の閉位置においては、第１被支持部５１０は第１コンタクト３１０の第１当接部３１２と接触し、第２被支持部５２０は、第２コンタクト３２０の第２当接部３２２と接触している。回転被支持部５３０は、回転支持部４３０から僅かに離れている。即ち、閉位置においては、アクチュエータ５は、第１コンタクト３１０と第２コンタクト３２０とのみによって支持されている。ただし、アクチュエータ５に対して上方から意図しない力が加わった場合に第２コンタクト３２０の損傷を防ぐため、回転被支持部５３０と回転支持部４３０とが接触していてもよい。プラグコネクタ２は、閉位置においてコネクタ１に保持され、接続状態が維持される。
【００４２】
詳しくは、図２４及び図２５に示されるように、アクチュエータ２が閉位置にあり、且つコネクタ１とプラグコネクタ２とが嵌合状態にある際、アクチュエータ５の押圧部５０３がプラグコネクタ２の嵌合部２０からの反力を受けることによって、第１被支持部５１０は第１コンタクト３１０を上向きに押圧する（図２４参照）。更に、第１コンタクト３１０及び第２コンタクト３２０の第１接触部３３１及び第２接触部３３２もプラグコネクタ２の嵌合部２０からの反力を受け下向きに変形する（図２４及び図２５参照）。この際、嵌合部２０の下部に設けられた信号導体２６が、対応する第１接触部３３１又は第２接触部３３２と接触し電気的に接続される。本実施の形態によるコネクタ１とプラグコネクタ２の嵌合部２０とは、第１コンタクト３１０の第１腕部３１１と、（第１コンタクト３１０及び第２コンタクト３２０の）下側腕部３３０とによって上下から加わる力によって接続状態が維持されている。
【００４３】
以上説明したように、本実施の形態においては開位置においては、少なくとも第１被支持部５１０及び第１コンタクト３１０と、第２被支持部５２０及び第２コンタクト３２０との２か所が接触しており（図１２乃至図１４参照）、その後、アクチュエータ５の回動（変位）に伴って、少なくとも第２被支持部５２０及び第２コンタクト３２０が接触し（図１５乃至図１７参照）、更に、回転被支持部５３０及び回転支持部４３０と、第１被支持部５１０及び第１コンタクト３１０との２か所のみが接触し（図１８乃至図２０参照）、閉位置においては、少なくとも第１被支持部５１０及び第１コンタクト３１０と、第２被支持部５２０及び第２コンタクト３２０との２か所が接触する（図２１乃至図２３参照）。特に、開位置及び閉位置の双方の位置において、第１コンタクト３１０が第１被支持部５１０に上側から接触すると共に（図１２及び図２１参照）、第２コンタクト３２０が第２被支持部５２０に下側から接触することとし（図１３及び図２２参照）、第１コンタクト３１０によって上方から押圧する一方で第２コンタクト３２０によって下方からアクチュエータ５を支持することとしているため、アクチュエータ５が撓むことなく、適切な姿勢の維持を行うことができる。
【００４４】
また、第１コンタクト３１０の第１係止部３１３と、第２コンタクト３２０の第２係止部３２３とが設けられていることにより、開位置から閉位置の回動操作の全てに亘ってアクチュエータ５が前方へ抜け落ちることが防止される。
【００４５】
なお、図１に示されるように、本実施の形態においては、第１被支持部５１０及び第１コンタクト３１０の組と、第２被支持部５２０及び第２コンタクト３２０の組は、複数形成され、前者の組と後者の組とは２対１の割合で使用されているが、この割合は、クリック感の強さや、アクチュエータ５によってプラグコネクタ２（図４参照）を押圧するために必要な力等を考慮して適宜変更が可能である。
【符号の説明】
【００４６】
１        コネクタ
２        プラグコネクタ（接続対象物）
３        コンタクト
４        ハウジング
５        アクチュエータ
６        ホールドダウン
１１        前端
１２        後端
１４        挿入口
２０        嵌合部
２１        ＦＰＣ
２２        相手側ロック部
２４        グランド接続部
２６        信号導体
６１        半田付け部
６２        グランドコンタクト
６９        ロック部
３１０        第１コンタクト
３１１        第１腕部
３１２        第１当接部（第１支持部材）
３１３        第１係止部
３２０        第２コンタクト
３２１        第２腕部
３２２        第２当接部（第２支持部材）
３２３        第２係止部
３３０        下側腕部
３３１        第１接触部
３３２        第２接触部
３４０        圧入部
３５０        固定部
４００        本体部
４０１        上部
４０２        底部
４０３        前端
４０４        後端
４２０        コンタクト保持溝
４３０        回転支持部
４４１、４４２        側面
４５０        底面
４６０        被押圧部
４７０        ホールドダウン保持部
５００        本体部
５０１        操作部
５０２        回動部
５０３        押圧部
５０４        凹部
５０５        仕切り部
５１０        第１被支持部
５１１        被押圧部
５１２        押圧部
５１３        被押圧部
５１４        第１コンタクト収容部
５２０        第２被支持部
５２１        被支持部
５２２        押圧部
５２３        被支持部
５２４        空間
５３０        回転被支持部
５３１        当接部
５３２        第１側面
５３３        押圧部
５３４        第２側面
【図１】
0005746953.tif 000002
【図２】
0005746953.tif 000003
【図３】
0005746953.tif 000004
【図４】
0005746953.tif 000005
【図５】
0005746953.tif 000006
【図６】
0005746953.tif 000007
【図７】
0005746953.tif 000008
【図８】
0005746953.tif 000009
【図９】
0005746953.tif 000010
【図１０】
0005746953.tif 000011
【図１１】
0005746953.tif 000012
【図１２】
0005746953.tif 000013
【図１３】
0005746953.tif 000014
【図１４】
0005746953.tif 000015
【図１５】
0005746953.tif 000016
【図１６】
0005746953.tif 000017
【図１７】
0005746953.tif 000018
【図１８】
0005746953.tif 000019
【図１９】
0005746953.tif 000020
【図２０】
0005746953.tif 000021
【図２１】
0005746953.tif 000022
【図２２】
0005746953.tif 000023
【図２３】
0005746953.tif 000024
【図２４】
0005746953.tif 000025
【図２５】
0005746953.tif 000026
【図２６】
0005746953.tif 000027